(57)【要約】【課題】加湿器の貯水槽と蒸発槽がそれぞれの槽内に圧力差を生じる条件下に配備されている場合でも、貯水槽内の渇水検知フロートが蒸発槽内の渇水状態を正確に検知することのできる空調機の提供を目的とするものである。【解決手段】加湿器７は、熱交換器２と、熱交換器２に通風する送風機３とを収容した空調機の通風路内で、熱交換器２よりも通風方向二次側に設けられた貯水槽５と、貯水槽５からの水より蒸気を生成する蒸発槽４と、熱交換器２よりも通風方向一次側の通風路で蒸発槽４からの蒸気を噴き出す蒸気ノズル６とを備えた空調機の加湿器７において、貯水槽５内の上部空間と蒸発槽４内の上部空間とを連通する連通部９を設けたものである。【選択図】図１
2008134026.tif 000002
【特許請求の範囲】
【請求項１】
熱交換器と、前記熱交換器に通風する送風機とを収容した空調機の通風路内で、前記熱交換器よりも通風方向二次側に設けられた貯水槽と、前記貯水槽からの水より蒸気を生成する蒸発槽と、前記熱交換器よりも通風方向一次側の通風路で前記蒸発槽からの蒸気を噴き出す蒸気ノズルとを備えた加湿器において、前記貯水槽内の上部空間と前記蒸発槽内の上部空間とを連通する連通部を設けたことを特徴とする空調機の加湿器。
【請求項２】
熱交換器と、前記熱交換器に通風する送風機とを収容した空調機の通風路内で、前記熱交換器よりも通風方向二次側に設けられた貯水槽と、前記貯水槽からの水を加熱手段により加熱して蒸気を生成する蒸発槽と、前記貯水槽内の水位を検出して前記蒸発槽における渇水を検知する渇水検知フロートと、前記熱交換器よりも通風方向一次側の通風路で前記蒸発槽からの蒸気を噴き出す蒸気ノズルとを備えた空調機の加湿器において、前記渇水検知フロートによる前記貯水槽での渇水検知水位を、前記通風路の通風方向一次側と二次側との圧力差に応じて設定したことを特徴とする空調機の加湿器。
【請求項３】
貯水槽の槽ケーシングに設けられ、渇水検知フロートを外部から視認可能な第１窓部と、貯水槽の槽ケーシングに設けられ、蒸発槽内の水位を外部から視認可能な第２窓部とを備えたことを特徴とする請求項２に記載の空調機の加湿器。
【発明の詳細な説明】
【技術分野】
【０００１】
本発明は、空調機の加湿器に係り、特に、互いに下部で連通する貯水槽と蒸発槽の水位差による水位誤検知を回避するようにした加湿器に関するものである。
【背景技術】
【０００２】
従来、加湿器は、例えば下記特許文献１に開示されているように、水源からの水を貯水する貯水槽と、貯水槽からの水より蒸気を生成する蒸発槽とを備えている。更に、このような加湿器が空調機の本体ケーシング内に収容される場合は、貯水槽及び蒸発槽に加え、蒸発槽から供給された蒸気を噴き出す蒸気ノズルを備えている。そして、貯水槽と蒸発槽とは、熱交換器よりも通風方向二次側の通風路内に隣接して載置され、蒸気ノズルは、結露防止のため、熱交換器よりも通風方向一次側の通風路内に配設されている。
【０００３】
貯水槽内の下部には、貯水槽内の水位を検出して蒸発槽における渇水を検知する渇水検知フロートが取り付けられている。また、蒸発槽内の下部には、貯水槽から供給された水を加熱するヒーターなどの加熱手段が設けられ、加熱手段は所定の温度以上で加熱を停止するサーマルスイッチを備えている。ここで、渇水検知フロートが加熱手段の設けられていない貯水槽内に取り付けられるのは、蒸発槽内は水の沸騰により気泡が発生するので、正確な水位を検知できないからである。
【０００４】
通常、渇水検知フロートが、蒸発槽の渇水を検知すると加熱手段の加熱を停止するが、万が一、渇水検知フロートが正常に動作しない場合には、バックアップ用としてのサーマルスイッチが加熱を停止するようになっている。
【０００５】
【特許文献１】特開平５−２６４８３号公報
【発明の開示】
【発明が解決しようとする課題】
【０００６】
一般に、空調機は、通風路内の空気圧が一次側空間と二次側空間とで異なっており、通風方向一次側の方が二次側よりも高い。そのために、通風方向一次側に開口している蒸気ノズルと接続された蒸発槽内の圧力は二次側に設置されている貯水槽内の圧力よりも高くなる。従って、蒸発槽と貯水槽との間で圧力差が生じ、この結果、貯水槽内の水位は蒸発槽内の水位よりも高くなる。
【０００７】
仮に、両槽の水位が同等であれば、蒸気の生成にともなって、蒸発槽内の水が減り、蒸発槽内が渇水状態となった場合でも、渇水検知フロートが貯水槽内の水位を検出して蒸発槽における渇水を正確に検知し、加熱手段による加熱を中止することができる。しかし、上記のように両槽に水位差がある場合は、渇水検知フロートは蒸発槽の渇水状態を正確に検知できなくなる。即ち、貯水槽内がまだ渇水状態に至らない水位であっても、蒸発槽内の水位は既に渇水状態となってしまっている場合がある。このようなときには、本来作動すべき渇水検知フロートが作動することなく、バックアップ用として設置されているサーマルスイッチの方が先に作動してしまい、サーマルが作動するまでの間に蒸発槽内が空焚きとなり蒸発槽の耐久性が低下するという問題があった。
【０００８】
本発明は、上記した従来の問題点に鑑みてなされたものであって、加湿器の貯水槽と蒸発槽がそれぞれの槽内に圧力差を生じる条件下に配備されている場合でも、貯水槽内の渇水検知フロートが蒸発槽内の渇水状態を正確に検知することのできる空調機の提供を目的とするものである。
【課題を解決するための手段】
【０００９】
上記目的を達成するために、本発明に係る空調機の加湿器は、熱交換器と、熱交換器に通風する送風機とを収容した室内機の通風路内で、熱交換器よりも通風方向二次側に設けられた貯水槽と、貯水槽からの水より蒸気を生成する蒸発槽と、熱交換器よりも通風方向一次側の通風路で前記蒸発槽からの蒸気を噴き出す蒸気ノズルとを備えた加湿器において、貯水槽内の上部空間と蒸発槽内の上部空間とを連通する連通部を設けたことを特徴とする構成にしてある。
【００１０】
また、熱交換器と、熱交換器に通風する送風機とを収容した空調機の通風路内で、熱交換器よりも通風方向二次側に設けられた貯水槽と、貯水槽からの水を加熱手段により加熱して蒸気を生成する蒸発槽と、貯水槽内の水位を検出して蒸発槽における渇水を検知する渇水検知フロートと、熱交換器よりも通風方向一次側の通風路で蒸発槽からの蒸気を噴き出す蒸気ノズルとを備えた加湿器において、渇水検知フロートによる貯水槽での渇水検知水位を、通風路の通風方向一次側と二次側との圧力差に応じて設定したことを特徴とするものである。
【００１１】
また、前記構成において、貯水槽の槽ケーシングに設けられ、渇水検知フロートを外部から視認可能な第１窓部と、貯水槽の槽ケーシングに設けられ、蒸発槽内の水位を外部から視認可能な第２窓部とを備えたものである。
【発明の効果】
【００１２】
本発明では、空調機に配備される加湿器の給水槽及び蒸発槽に、貯水槽内の上部空間と蒸発槽内の上部空間とを連通する連通部を設けたので、通風路の一次側空間の圧力に等しい蒸発槽と、二次側空間の圧力に等しい貯水槽との間に生じた圧力差を解消することができる。従って、蒸発槽と貯水槽の水位を略同等にすることが可能となり、両槽の水位差を原因とする渇水検知フロートの誤作動をなくすことが可能となる。
【発明を実施するための最良の形態】
【００１３】
実施の形態１．
図１は本発明の一実施形態に係る空調機の構成を透視して示す斜視図、図２は前記空調機の内部を左側面図から見た構成図、図３は前記空調機の内部を背面から見た構成図である。
各図において、この実施形態に係る空調機は、本体ケーシング１内に、空気を加熱する熱交換器２と、熱交換器２に通風する送風機３と、加湿器７とが収容されている。また、本体ケーシング１の内部は、熱交換機２を境に通風方向上流側の一次側空間２２と通風方向下流側の二次側空間２３とに区画されている。本体ケーシング１の上面には一次側空間２２に開口する吸込口１８が設けられ、本体ケーシング１の底面には二次側空間２３に開口する吹出口１９が設けられている。これらの吸込口１８、一次側空間２２、二次側空間２３及び吹出口１９により、通風路が構成される。送風機３は、熱交換器２よりも二次側空間２３に載置されている。
【００１４】
加湿器７は、水源（図示しない）から給水配管８を経て供給された水を貯水する貯水槽５と、貯水槽５からの水より蒸気を生成する蒸発槽４と、蒸発槽４から供給された蒸気を噴き出す蒸気ノズル６とを備えている。貯水槽５と蒸発槽４とは、隣接した状態で二次側空間２３に設置されており、貯水槽５の下部と蒸発槽４の下部とは配管２４により連通させることで、貯水槽５から蒸発槽４へ水が供給される。また、蒸気ノズル６は、結露防止のため、一次側空間２２に配備され、蒸気配管１２を介して蒸発槽４の上部と接続されている。
【００１５】
図４に、加湿器７の概略構成図を示す。貯水槽５内の下部には、貯水槽５内の水位を検出して蒸発槽４における渇水を検知する渇水検知フロート１３を備えている。貯水槽５内の上下方向中央部には、貯水槽５内の水位を検出して貯水槽５の満水を検知する満水検知フロート１４を備えている。また、蒸発槽４内の下部には、貯水槽５から供給された水を加熱するヒーターなどの加熱手段１５が設けられ、加熱手段１５は所定の温度以上で加熱を停止するサーマルスイッチ１６を備えている。
【００１６】
貯水槽５内の上部空間と、蒸発槽４内の上部空間とは、連通部９により連通されている。連通部９は、貯水槽５の槽ケーシング１１の上部と、蒸発槽４の槽ケーシング１０の上部とを接続する連通配管１７により構成されている。
【００１７】
引続き、空調機の動作につき、以下に説明する。
水源から給水配管８を経て導入された貯水槽５内の水は、貯水槽５の下部より配管２４を経て蒸発槽４に供給される。貯水槽５が満水になると、満水検知フロート１４が満水を検知し、給水配管８の開閉弁(図示しない)を閉止させて水源からの水の供給を停止する。そして、蒸発槽４に供給された水は加熱手段１５により加熱され、沸騰して蒸気となり、蒸気配管１２を通って蒸気ノズル６に達し、蒸気ノズル６から一次側空管２２に放出される。
【００１８】
一方、送風機３の駆動により本体ケーシング１の吸込口１８から一次側空間２２に吸込まれた空気は、蒸気ノズル６から噴き出した蒸気によって加湿され他の知に熱交換器２を通過する。熱交換器２で熱交換された空気は、二次側空間２３に達し、吹出口１９から空調室内に吹出される。
【００１９】
ここで、上記従来技術と同様に、通風路内の空気圧は通風方向一次側である一次側空間２２の方が通風方向二次側である二次側空間２３よりも高くなっているために、蒸発槽４との方が貯水槽５よりも圧力が高くなる。この結果、貯水槽５内の水位の方が蒸発槽４内の水位よりも高くなり、水位差ｈが生じる。
【００２０】
そこで、貯水槽５の上部空間と蒸発槽４の上部空間とを連通する連通部９により、両槽の間の圧力差は解消され、この結果、貯水槽５の水位と蒸発槽４の水位は同等となる。従って、水位差ｈを原因とした渇水検知フロート１３の誤作動はなくなり、蒸発槽４の渇水を正確に検知することが可能となり、バックアップ用として設置されているサーマルスイッチ１６が作動する前に、渇水検知フロート１３が蒸発槽４の渇水を検知し、加熱を停止することができる。
【００２１】
尚、上記の実施形態１では、連通部９は、貯水槽５の槽ケーシング１１の上部と、蒸発槽４の槽ケーシング１０の上部とを連通配管１７により接続した構成としたが、本発明の連通部はそれに限定されるものでなく、例えば貯水槽の槽ケーシングと蒸発槽の槽ケーシングの隣接した側壁の上部を貫通する貫通孔で構成することも可能である。
【００２２】
実施の形態２．
実施形態２に係る空調機は、上記実施形態１における空調機と異なり、連通部９を備えておらず、且つ、渇水検知フロート１３が検知する渇水検知水位を通風路の通風方向一次側と二次側との圧力差に応じて設定するように構成したものである。
【００２３】
図５に示すように、渇水検知フロート１３が渇水を検出する渇水検知水位Ｋを、蒸発槽４と貯水槽５との間の圧力差に起因する水位差ｈの分（例えば２〜５ｃｍ程度）だけ、圧力差がないと仮定した場合の渇水検出水位よりも予め高く設定する。
【００２４】
これにより、貯水槽５と蒸発槽４との間に圧力差が生じ、これを原因として両槽に水位差ｈが生じた場合であっても、渇水検知水位Ｋは水位差ｈの分だけ高く設定されているので、蒸発槽４内の渇水状態を正確に検知することが可能となる。そして、バックアップ用として設置されているサーマルスイッチ１６が作動する前に、渇水検知フロート１３が作動し、加熱手段１５の加熱を停止することができる。
【００２５】
この実施形態の加湿器では、更に、貯水槽５の槽ケーシング１１に渇水検知フロート１３を外部から視認可能な第１窓部（図示しない）が設けられ、蒸発槽４の槽ケーシング１０に蒸発槽４内の水位を外部から視認可能な第２窓部（図示しない）が設けられている。従って、空調機の設置時に試験運転を行って渇水検知フロート１３の渇水検知水位Ｋを決定する際、容易に外部から渇水検知フロート１３及び蒸発槽３内の水位が確認でき、作業性が向上する。
【００２６】
尚、上記実施形態２では渇水検知フロート１３の渇水検知水位Ｋを予め水位差ｈだけ高くなるよう設定したが、本発明に係る空調機はこれに限定されず、渇水検知水位を変更することなく、貯水槽体を予め蒸発槽より相対的に高い位置に設置することで、渇水検知フロートの検出する水位が高くなるように設定してもよい。
【図面の簡単な説明】
【００２７】
【図１】本発明の一実施形態に係る空調機の構成を透視して示す斜視図である。
【図２】前記空調機の内部を左側面から見た構成図である。
【図３】前記空調機の内部を背面から見た構成図である。
【図４】前記空調機の加湿器の構成概略図である。
【図５】本発明の他の実施形態に係る空調機の加湿器の概略構成図である。
【符号の説明】
【００２８】
１  本体ケーシング、２  熱交換器、３  送風機、４  蒸発槽、５  貯水槽、６  蒸気ノズル、７  加湿器、９  連通部、１０，１１  槽ケーシング、１３  渇水探知フロート、１４  満水探知フロート、１５  加熱手段、２２  一次側空間、２１  二次側空間。
【図１】
2008134026.tif 000003
【図２】
2008134026.tif 000004
【図３】
2008134026.tif 000005
【図４】
2008134026.tif 000006
【図５】
2008134026.tif 000007